【手続補正書】
【提出日】平成27年5月14日(2015.5.14)
【手続補正１】
【補正対象書類名】明細書
【補正対象項目名】００１０
【補正方法】変更
【補正の内容】
【００１０】
本発明は、上述の課題の少なくとも一部を解決するためになされたものであり、以下の形態または適用例として実現することが可能である。
本発明の一形態は、印刷装置のカートリッジ装着部に着脱可能に装着され；前記カートリッジ装着部には、複数のカートリッジを装着可能に各カートリッジに対応して、印刷材供給管、装置側端子、レバー、装置側係止部がそれぞれ設けられており；前記印刷材供給管は、前記カートリッジに接続する先端部を有し；前記印刷材供給管の中心軸Ｃと平行な軸をＺ軸、前記印刷材供給管と前記装置側端子とが配列される方向かつ前記Ｚ軸と直交する方向をＸ軸、前記Ｚ軸および前記Ｘ軸と直交する軸をＹ軸とし、前記印刷材供給管の基端部から前記先端部に向かって＋Ｚ軸方向、逆を−Ｚ軸方向とし、前記印刷材供給管から前記装置側端子側に向かって＋Ｘ軸方向、逆を−Ｘ軸方向としたとき；前記装置側端子は、前記＋Ｚ軸方向の成分を含む付勢力を前記カートリッジに付与しつつ接触することによって前記カートリッジと電気的に接続可能に構成されており；前記装置側係止部は、前記装置側端子よりも前記＋Ｚ軸方向側かつ前記＋Ｘ軸方向側で前記カートリッジを係止可能に前記レバーの一部として構成されており；前記レバーは、前記装置側係止部が前記カートリッジを係止する係止位置よりも前記＋Ｚ軸方向側かつ前記＋Ｘ軸方向側を回動中心として、前記係止位置から前記＋Ｘ軸方向に前記装置側係止部が移動するように回動することによって、前記装置側係止部による前記カートリッジの係止および係止解除を可能に構成されている、カートリッジを提供する。このカートリッジは、前記カートリッジ装着部に装着された状態にある前記カートリッジに対する前記Ｘ軸、前記Ｙ軸および前記Ｚ軸を、前記カートリッジ上の軸としたとき；前記Ｚ軸方向において対向する２つの面であって、前記−Ｚ軸方向側に位置する第１面および前記＋Ｚ軸方向側に位置する第２面と；前記第１面および第２面と交わり、前記Ｘ軸方向において対向する２つの面であって、前記＋Ｘ軸方向側に位置する第３面および前記−Ｘ軸方向側に位置する第４面と；前記第１乃至第４面と交わり、前記Ｙ軸方向において対向する２つの面であって、＋Ｙ軸方向側に位置する第５面および−Ｙ軸方向側に位置する第６面と；前記第１面と前記第３面とを繋ぐコーナー部に設けられ、前記−Ｚ軸方向および前記＋Ｘ軸方向を向いて傾斜する斜面と；前記第１面に設けられ、前記印刷材供給管と接続可能に構成されている印刷材供給口と；前記斜面に設けられており、前記カートリッジが前記カートリッジ装着部に装着された状態において、前記＋Ｚ軸方向の成分を含む付勢力を前記装置側端子から受けつつ前記装置側端子と接触することによって前記装置側端子と電気的に接続されるカートリッジ側端子と；前記カートリッジが前記カートリッジ装着部に装着された状態において、前記レバーの前記装置側係止部に係止されるカートリッジ側係止部と；前記カートリッジ側係止部が前記レバーに係止される係止位置よりも前記＋Ｚ軸方向側に設けられ、前記レバーの前記−Ｚ軸方向側の末端部と前記カートリッジ側係止部との係合を防止するための係合防止部とを備える。この形態によれば、カートリッジ側係止部に対するレバーの乗り上げを防止し、設計された装着位置にカートリッジを装着することができる。
【手続補正２】
【補正対象書類名】明細書
【補正対象項目名】００４１
【補正方法】変更
【補正の内容】
【００４１】
プリンター５０における第２の装置側係止部６２０は、ホルダー６００の一部として設けられ、第２係止位置６２０Ｌで第２のカートリッジ側係止部２２０を係止可能に構成されている。第２係止位置６２０Ｌは、インク供給管６４０よりも＋Ｚ軸方向側かつ−Ｘ軸方向側に位置する。第２の装置側係止部６２０は、第２のカートリッジ側係止部２２０を係止することによって、カートリッジ２０の＋Ｚ軸方向への移動を制限する。
【手続補正３】
【補正対象書類名】明細書
【補正対象項目名】００９５
【補正方法】変更
【補正の内容】
【００９５】
５つのカートリッジ側端子４３２，４３３，４３６，４３７，４３８は、記憶装置４２０に電気的に接続されている。カートリッジ側端子４３２は、記憶装置４２０に対するリセット信号ＲＳＴの供給を受け付ける「リセット端子」として機能する。カートリッジ側端子４３３は、記憶装置４２０に対するクロック信号ＳＣＫの供給を受け付ける「クロック端子」として機能する。カートリッジ側端子４３６は、記憶装置４２０に対する電源電圧ＶＤＤ（例えば、定格３．３ボルト）の供給を受け付ける「電源端子」として機能する。カートリッジ側端子４３７は、記憶装置４２０に対する接地電圧ＶＳＳ（０ボルト）の供給を受け付ける「接地端子」、すなわち「カートリッジ側接地端子」として機能する。カートリッジ側端子４３８は、記憶装置４２０に対するデータ信号ＳＤＡの供給を受け付ける「データ端子」として機能する。
【手続補正４】
【補正対象書類名】明細書
【補正対象項目名】００９８
【補正方法】変更
【補正の内容】
【００９８】
本実施形態では、接地端子として機能するカートリッジ側端子４３７は、カートリッジ２０の幅（Ｙ軸方向の長さ）の中央を通る平面Ｙｃを横切る位置に設けられており、カートリッジ２０がホルダー６００に装着される際、他のカートリッジ側端子４３１〜４３６，４３８，４３９と装置側端子７３１〜７３６，７３８，７３９（図１７）との接触に先立って、装置側端子７３７（図１７）に接触するように構成されている。これによって、ホルダー６００から回路基板４００に最初に加わる付勢力Ｐｔが、カートリッジ２０のＹ軸に沿った方向の幅の中心に発生するため、カートリッジ側斜面４０８に加わる付勢力Ｐｔがカートリッジ２０をＹ軸方向に傾かせる力として働く作用を抑制し、カートリッジ２０を安定した姿勢でホルダー６００に装着できる。また、接地端子として機能するカートリッジ側端子４３７が他のカートリッジ側端子４３１〜４３６，４３８，４３９よりも先に装置側端子に接触するため、カートリッジ２０側に意図しない高電圧が印加された場合であっても、カートリッジ側端子４３７の接地機能によって、高電圧による不具合を軽減することができる。
【手続補正５】
【補正対象書類名】明細書
【補正対象項目名】０１１１
【補正方法】変更
【補正の内容】
【０１１１】
本実施形態では、９つの装置側端子７３１〜７３９のうちＹ軸方向の中央に位置する装置側端子７３７は、接地ライン（図示しない）に電気的に接続されている「接地端子」、すなわち「装置側接地端子」である。装置側接地端子である装置側端子７３７は、カートリッジ２０がホルダー６００に装着された装着状態で、カートリッジ側接地端子であるカートリッジ側端子４３７（図１２）に接触する。
【手続補正６】
【補正対象書類名】明細書
【補正対象項目名】０１１２
【補正方法】変更
【補正の内容】
【０１１２】
本実施形態では、装置側端子７３７が装置側斜面７０８から突出する高さは、他の装置側端子７３１〜７３６，７３８，７３９よりも高い。これによって、装置側端子７３７は、他の装置側端子７３１〜７３６，７３８，７３９よりも先にカートリッジ側接地端子であるカートリッジ側端子４３７（図１２）に接触する。
【手続補正７】
【補正対象書類名】明細書
【補正対象項目名】０１２３
【補正方法】変更
【補正の内容】
【０１２３】
第１の装置側係止部８１０には、相互に交わる２つの面である第１装置側係止面８１１および第２装置側係止面８１３が形成されている。第２装置側係止面８１３は、第１装置側係止面８１１よりも回動中心８００ｃから離れた位置にあり、レバー８００の−Ｚ方向側の末端部８１８に隣接する。
【手続補正８】
【補正対象書類名】明細書
【補正対象項目名】０１４０
【補正方法】変更
【補正の内容】
【０１４０】
次に、図２０に示す状態から、第２の装置側係止部６２０に挿入されている第２のカートリッジ側係止部２２０を回転支点として、＋Ｙ軸方向側から見て時計回りに、つまり、第３面２０３側をホルダー６００の壁部６０１側に向って押し込むようにカートリッジ２０を回転させる。すると、図２１に示すように、第１のカートリッジ側係止部２１０は、レバー８００における一対の壁部８６０の間に案内されることでＹ軸方向の動きを制限されながら、および一対の壁部８６０の間における平面８２２と接触することでＸ軸方向の動きを制限されながら、−Ｚ軸方向に進む。
【手続補正９】
【補正対象書類名】明細書
【補正対象項目名】０１５３
【補正方法】変更
【補正の内容】
【０１５３】
図２６は、延長面２１８を省略した形態において図２３に相当する状態から−Ｚ軸方向にカートリッジ２０が移動した様子を示す説明図である。図２６も、図２５と同様、ユーザーが、カートリッジ２０をホルダー６００に装着する際に、−Ｚ軸方向へカートリッジ２０を押し込み過ぎたような状態を想定している。図２６に示すように、延長面２１８を省略した形態では、レバー８００側の第２装置側係止面８１３がカートリッジ２０側の第３係止面２１３を乗り越えると、＋Ｙ軸方向側見て時計回りにレバー８００が回転し、レバー８００の−Ｚ方向側の末端部８１８がカートリッジ２０側の第１係止面２１１に乗り上げてしまう。図２６の形態では、−Ｚ軸方向にカートリッジ２０を移動させる力を除去しても図２６の状態が維持されてしまう。
【手続補正１０】
【補正対象書類名】明細書
【補正対象項目名】０１７２
【補正方法】変更
【補正の内容】
【０１７２】
図３１に示すように、第３実施形態のカートリッジ２０Ａは、第３面２０３〜第６面２０６を＋Ｚ軸方向に延長した形状を有する点を除き、第１実施形態と同様である。第３実施形態では、カートリッジ２０は、Ｚ軸方向の長さ、Ｘ軸方向の長さ、Ｙ軸方向の長さの順に大きい。第３実施形態では、カートリッジ２０が着脱されるＺ軸方向は水平方向である。そして、重力方向（鉛直方向）の下方から上方に向かう方向が＋Ｘ軸方向となる向きで、ホルダー６００に対するカートリッジ２０の脱着が行われる。
【手続補正１１】
【補正対象書類名】明細書
【補正対象項目名】０１９５
【補正方法】変更
【補正の内容】
【０１９５】
カートリッジ２０ｉの外殻２２ｉは、収容部材２００ｉの外殻と、アダプター２９９の外殻との組み合わせによって構成される。収容部材２００ｉは、印刷材収容部２００に加え、インク流路２８２および発泡樹脂体２８４を有する。
【手続補正１２】
【補正対象書類名】明細書
【補正対象項目名】０１９９
【補正方法】変更
【補正の内容】
【０１９９】
第８面２０８ｉは、第７面２０７ｉと第３面２０３ｉとを繋ぐ面である。第８面２０８ｉは、＋Ｘ軸方向と−Ｚ軸方向の成分を含む方向を向いて傾斜した斜面である。第８面２０８ｉは、第１面２０１ｉおよび第３面２０３ｉに対して傾斜した面である。第８面２０８ｉは、第５面（図示省略）および第６面２０６ｉと直角に交わる面である。第８面２０８ｉは、ＸＹ平面およびＹＺ平面に対して傾斜しており、ＸＺ平面に対して直角に交わる。
【手続補正１３】
【補正対象書類名】明細書
【補正対象項目名】０２０７
【補正方法】変更
【補正の内容】
【０２０７】
第８面２０８ｊは、第７面２０７ｊと第３面２０３ｊとを繋ぐ面である。第８面２０８ｊは、＋Ｘ軸方向と−Ｚ軸方向の成分を含む方向を向いて傾斜した斜面である。第８面２０８ｊは、第１面２０１ｊおよび第３面２０３ｊに対して傾斜した面である。第８面２０８ｊは、第５面（図示省略）および第６面２０６ｊと直角に交わる面である。第８面２０８ｊは、ＸＹ平面およびＹＺ平面に対して傾斜しており、ＸＺ平面に対して直角に交わる。
【手続補正１４】
【補正対象書類名】明細書
【補正対象項目名】０２２２
【補正方法】変更
【補正の内容】
【０２２２】
図３８（Ｃ）の回路基板４００Ｃでは、カートリッジ側端子４３１〜４３９の表面形状は、所定の幅を有する直線状であって、それぞれ同じ形状である。これらカートリッジ側端子４３１〜４３９は、その幅方向に一列に配列されている。カートリッジ側端子（装着検出端子）４３５，４３９は、カートリッジ側端子４３１〜４３９が並ぶ配列の両端にそれぞれ配置されている。カートリッジ側端子（装着検出端子）４３１は、カートリッジ側端子（装着検出端子）４３５とカートリッジ側端子（電源端子）４３６との間に配置されている。カートリッジ側端子４３４（装着検出端子）は、カートリッジ側端子４３９（装着検出端子）とカートリッジ側端子（データ端子）４３８との間に配置されている。
【手続補正１５】
【補正対象書類名】特許請求の範囲
【補正対象項目名】請求項１
【補正方法】変更
【補正の内容】
【請求項１】
印刷装置のカートリッジ装着部に着脱可能に装着され、
前記カートリッジ装着部には、複数のカートリッジを装着可能に各カートリッジに対応して、印刷材供給管、装置側端子、レバー、装置側係止部がそれぞれ設けられており、
前記印刷材供給管は、前記カートリッジに接続する先端部を有し、
前記印刷材供給管の中心軸Ｃと平行な軸をＺ軸、前記印刷材供給管と前記装置側端子とが配列される方向かつ前記Ｚ軸と直交する方向をＸ軸、前記Ｚ軸および前記Ｘ軸と直交する軸をＹ軸とし、前記印刷材供給管の基端部から前記先端部に向かって＋Ｚ軸方向、逆を−Ｚ軸方向とし、前記印刷材供給管から前記装置側端子側に向かって＋Ｘ軸方向、逆を−Ｘ軸方向としたとき、
前記装置側端子は、前記＋Ｚ軸方向の成分を含む付勢力を前記カートリッジに付与しつつ接触することによって前記カートリッジと電気的に接続可能に構成されており、
前記装置側係止部は、前記装置側端子よりも前記＋Ｚ軸方向側かつ前記＋Ｘ軸方向側で前記カートリッジを係止可能に前記レバーの一部として構成されており、
前記レバーは、前記装置側係止部が前記カートリッジを係止する係止位置よりも前記＋Ｚ軸方向側かつ前記＋Ｘ軸方向側を回動中心として、前記係止位置から前記＋Ｘ軸方向に前記装置側係止部が移動するように回動することによって、前記装置側係止部による前記カートリッジの係止および係止解除を可能に構成されている、カートリッジであって、
前記カートリッジ装着部に装着された状態にある前記カートリッジに対する前記Ｘ軸、前記Ｙ軸および前記Ｚ軸を、前記カートリッジ上の軸としたとき、
前記Ｚ軸方向において対向する２つの面であって、前記−Ｚ軸方向側に位置する第１面および前記＋Ｚ軸方向側に位置する第２面と、
前記第１面および第２面と交わり、前記Ｘ軸方向において対向する２つの面であって、前記＋Ｘ軸方向側に位置する第３面および前記−Ｘ軸方向側に位置する第４面と、
前記第１乃至第４面と交わり、前記Ｙ軸方向において対向する２つの面であって、＋Ｙ軸方向側に位置する第５面および−Ｙ軸方向側に位置する第６面と、
前記第１面と前記第３面とを繋ぐコーナー部に設けられ、前記−Ｚ軸方向および前記＋Ｘ軸方向を向いて傾斜する斜面と、
前記第１面に設けられ、前記印刷材供給管と接続可能に構成されている印刷材供給口と、
前記斜面に設けられており、前記カートリッジが前記カートリッジ装着部に装着された状態において、前記＋Ｚ軸方向の成分を含む付勢力を前記装置側端子から受けつつ前記装置側端子と接触することによって前記装置側端子と電気的に接続されるカートリッジ側端子と、
前記カートリッジが前記カートリッジ装着部に装着された状態において、前記レバーの前記装置側係止部に係止されるカートリッジ側係止部と、
前記カートリッジ側係止部が前記レバーに係止される係止位置よりも前記＋Ｚ軸方向側に設けられ、前記レバーの前記−Ｚ軸方向側の末端部と前記カートリッジ側係止部との係合を防止するための係合防止部と
を備えるカートリッジ。
【手続補正１６】
【補正対象書類名】特許請求の範囲
【補正対象項目名】請求項２
【補正方法】変更
【補正の内容】
【請求項２】
前記係合防止部は、前記カートリッジ側係止部を前記＋Ｚ軸方向側に投影した領域への前記レバー端部の移動を阻止する形状を有する、請求項１に記載のカートリッジ。
【手続補正１７】
【補正対象書類名】特許請求の範囲
【補正対象項目名】請求項３
【補正方法】変更
【補正の内容】
【請求項３】
前記係合防止部は、前記カートリッジ側係止部の前記＋Ｚ軸方向側に移動した前記レバー端部を、前記カートリッジ側係止部の前記−Ｚ軸方向側に案内する形状を有する、請求項１または請求項２に記載のカートリッジ。
【手続補正１８】
【補正対象書類名】特許請求の範囲
【補正対象項目名】請求項５
【補正方法】変更
【補正の内容】
【請求項５】
請求項１ないし請求項４のいずれか一項に記載のカートリッジであって、
前記カートリッジ側係止部は、前記カートリッジ側係止部が前記レバーに係止される係止位置の＋Ｘ軸方向側に形成されており前記Ｙ軸に平行な端面を有し、
前記係合防止部は、前記端面の一部を前記＋Ｚ軸方向に延長した延長面を含む、カートリッジ。
【手続補正１９】
【補正対象書類名】特許請求の範囲
【補正対象項目名】請求項８
【補正方法】変更
【補正の内容】
【請求項８】
印刷装置のカートリッジ装着部に着脱可能に装着され、
前記カートリッジ装着部には、複数のカートリッジを装着可能に各カートリッジに対応して、印刷材供給管、レバー、装置側係止部がそれぞれ設けられており、
前記印刷材供給管は、前記カートリッジに接続する先端部を有し、
前記印刷材供給管の中心軸Ｃと平行な軸をＺ軸、前記印刷材供給管と前記装置側係止部とが配列される方向かつ前記Ｚ軸と直交する方向をＸ軸、前記Ｚ軸および前記Ｘ軸と直交する軸をＹ軸とし、前記印刷材供給管の基端部から前記先端部に向かって＋Ｚ軸方向、逆を−Ｚ軸方向とし、前記印刷材供給管から前記装置側係止部側に向かって＋Ｘ軸方向、逆を−Ｘ軸方向としたとき、
前記装置側係止部は、前記印刷材供給管よりも前記＋Ｚ軸方向側かつ前記＋Ｘ軸方向側で前記カートリッジを係止可能に前記レバーの一部として構成されており、
前記レバーは、前記装置側係止部が前記カートリッジを係止する係止位置よりも前記＋Ｚ軸方向側かつ前記＋Ｘ軸方向側を回動中心として、前記係止位置から前記＋Ｘ軸方向に前記装置側係止部が移動するように回動することによって、前記装置側係止部による前記カートリッジの係止および係止解除を可能に構成されている、カートリッジであって、
前記カートリッジ装着部に装着された状態にある前記カートリッジに対する前記Ｘ軸、前記Ｙ軸および前記Ｚ軸を、前記カートリッジ上の軸としたとき、
前記Ｚ軸方向において対向する２つの面であって、前記−Ｚ軸方向側に位置する第１面および前記＋Ｚ軸方向側に位置する第２面と、
前記第１面および第２面と交わり、前記Ｘ軸方向において対向する２つの面であって、前記＋Ｘ軸方向側に位置する第３面および前記−Ｘ軸方向側に位置する第４面と、
前記第１乃至第４面と交わり、前記Ｙ軸方向において対向する２つの面であって、＋Ｙ軸方向側に位置する第５面および−Ｙ軸方向側に位置する第６面と、
前記第１面に設けられ、前記Ｘ軸および前記Ｙ軸に平行な面に開口を有する開口面を形成し、前記＋Ｚ軸方向の成分を含む付勢力を前記開口面に受けつつ、前記開口面を通じて前記印刷材供給管と接続可能に構成されている印刷材供給口と、
前記カートリッジが前記カートリッジ装着部に装着された状態において、前記レバーの前記装置側係止部に係止されるカートリッジ側係止部と、
前記カートリッジ側係止部が前記レバーに係止される係止位置よりも前記＋Ｚ軸方向側に設けられ、前記レバーの前記−Ｚ軸方向側の末端部と前記カートリッジ側係止部との係合を防止するための係合防止部と
を備えるカートリッジ。
【手続補正２０】
【補正対象書類名】特許請求の範囲
【補正対象項目名】請求項９
【補正方法】変更
【補正の内容】
【請求項９】
印刷装置のカートリッジ装着部に着脱可能に装着されるカートリッジであって、
開口を有する開口面を、突出した端部に形成し、前記開口面を通じて印刷材を前記印刷装置へと供給可能に構成されている印刷材供給口と、
前記印刷材供給口の突出方向を−Ｚ軸方向、逆を＋Ｚ軸方向としたとき、前記印刷材供給口の前記開口面よりも＋Ｚ軸方向側に設けられており、前記カートリッジが前記カートリッジ装着部に装着された状態において、前記レバーの前記装置側係止部に係止される、カートリッジ側係止部と、
前記カートリッジ側係止部が前記レバーに係止される係止位置よりも前記＋Ｚ軸方向側に設けられており、前記レバーの前記−Ｚ軸方向側の末端部と前記カートリッジ側係止部との係合を防止するように構成されている係合防止部と
を備えるカートリッジ。